(57)【要約】      （修正有）【課題】地面付近の植栽配置の自由度が高く、かつ、樹木の本数が少なくても、これら樹木同士の間にビル風が抜けるのを低減できる、ビル風対策用の防風植栽構造を提供する。【解決手段】防風植栽構造１は、建物２の周囲に生じるビル風を低減する。この防風植栽構造１は、建物２に沿って配置された複数の高木３と、高木３同士の間に設けられた防風装置１０と、を備える。防風装置１０は、高木３の近傍に立設された一対の支柱１１と、一対の支柱１１の間に設けられてかつ土が収容されて蔦が生育される植物生育部１３と、を備える。【選択図】図１
2018126070.tif 000002
【特許請求の範囲】
【請求項１】
建物の周囲に生じるビル風を低減する防風植栽構造であって、
前記建物に沿って配置された複数の樹木と、当該複数の樹木同士の間に設けられた防風装置と、を備え、
当該防風装置は、前記樹木の近傍に立設された一対の支柱と、
当該一対の支柱間に設けられてかつ土が収容されてつる性の常緑植物が生育される植物生育部と、を備えることを特徴とする防風植栽構造。
【請求項２】
前記防風装置は、前記植物生育部の下方で前記一対の支柱同士の間に上下に移動可能に架設された複数の水平部材と、鉛直方向に延びて前記複数の水平部材が挿通されるリング部を有する鉛直部材をさらに備えることを特徴とする請求項１に記載の防風植栽構造。
【請求項３】
前記防風装置は、前記一対の支柱の上端部同士の間に架設された散水配管をさらに備え、
前記植物生育部は、当該散水配管に吊り下げ支持されており、
前記散水配管には、散水孔が設けられ、前記散水配管内を流通する水分が当該散水孔を通して前記植物生育部に噴射されることを特徴とする請求項１または２に記載の防風植栽構造。
【発明の詳細な説明】
【技術分野】
【０００１】
本発明は、建物の周囲に生じるビル風を低減する防風植栽構造に関する。
【背景技術】
【０００２】
従来より、建物の周囲に生じるビル風を低減する防風植栽構造が知られている。
特許文献１には、ビル風が巻き起こる箇所に、地上から上方に設置した支持フレームと、地面に植え付けられてこの支持フレームの略全域に這うようにしたつる性の常緑樹と、を備える防風植栽構造が示されている。
【０００３】
特許文献２には、樹木の周囲に、３本以上のパイプを交差させて立設し、各パイプの上端と、交差部の若干上方にそれぞれロープを掛け回し、隣接する両パイプと上下両ロープの囲む面にネットを張設した育樹用防風ネット装置が示されている。
【０００４】
特許文献３には、樹木の幹を取り囲む複数箇所において幹の延在方向に沿って配置される複数本の支柱と、これら支柱を地面に固定する固定部と、隣接する支柱同士を連結することにより複数本の支柱を固定部によって地面に自立させる連結部材と、支柱に設けられた人工樹木による枝葉と、を備える樹木の生育保護ユニットが示されている。
【先行技術文献】
【特許文献】
【０００５】
【特許文献１】特開平４−３３６１７９号公報
【特許文献２】特開平６−４６６９０号公報
【特許文献３】特許第５６３１２４５号公報
【発明の概要】
【発明が解決しようとする課題】
【０００６】
しかしながら、特許文献１の防風植生構造では、地面でつる性の植物を生育させ、この植物を上方まで這わせるので、地面付近につる性の植物が生い茂ることとなり、植栽配置の自由度が低かった。
また、特許文献２の育樹用防風ネット装置や特許文献３の生育保護ユニットでは、樹木同士の間を通り抜けるビル風を防ぐことができない、という問題があった。
【０００７】
本発明は、地面付近の植栽配置の自由度が高く、かつ、樹木の本数が少なくても、これら樹木同士の間にビル風が抜けるのを低減できる、ビル風対策用の防風植栽構造を提供することを課題とする。
【課題を解決するための手段】
【０００８】
本発明者は、ビル風対策用の防風植栽構造として、樹木同士の間に、土収容部が吊り下げられた植物生育部を架設するとともに、植物生育部の下方に、水平方向および鉛直方向に移動可能な骨格材を配置し、植物生育部で生育したつる性の常緑植物をその骨格材に這わせることで、樹木間に植栽配置の自由度の高い防風植栽が設置できることに着目して、本発明のビル風対策用の防風植栽構造を発明するに至った。
【０００９】
第１の発明の防風植栽構造（例えば、後述の防風植栽構造１）は、建物（例えば、後述の建物２）の周囲に生じるビル風を低減する防風植栽構造であって、前記建物に沿って配置された複数の樹木（例えば、後述の高木３）と、当該複数の樹木同士の間に設けられた防風装置（例えば、後述の防風装置１０）と、を備え、当該防風装置は、前記樹木の近傍に立設された一対の支柱（例えば、後述の支柱１１）と、当該一対の支柱間に設けられてかつ土（例えば、後述の土３２）が収容されてつる性の常緑植物（例えば、後述の蔦３３）が生育される植物生育部（例えば、後述の植物生育部１３）と、を備えることを特徴とする。
【００１０】
ここで、樹木とは、防風植栽構造の施工前に既に植え付けられていた樹木だけでなく、防風植栽構造の施工時に植え付ける樹木も含まれる。
本発明によれば、一対の支柱同士の間に植物生育部を設け、この植物生育部でつる性の常緑植物をビル風抵抗体として生育することで、樹木の本数が少なくても、樹木同士の間にビル風が抜けるのを低減できる。つる性の常緑植物は、気候から受ける影響が小さく、かつ、つる部に一年を通じて葉がついているので、ビル風抵抗体として機能する。
【００１１】
第２の発明の防風植栽構造では、前記防風装置は、前記植物生育部の下方で前記一対の支柱同士の間に上下に移動可能に架設された複数の水平部材（例えば、後述の水平部材１４）と、鉛直方向に延びて前記複数の水平部材が挿通されるリング部（例えば、後述のリング部５０）を有する鉛直部材（例えば、後述の鉛直部材１５）をさらに備えることを特徴とする。
【００１２】
この発明によれば、一対の支柱同士の間に設けた植物生育部にて、つる性の常緑植物を生育し、さらに、そのつる性の常緑植物を、支柱、骨格材である水平部材、骨格材である鉛直部材などに這わせる。これにより、これら骨格材に這わせて安定的に生育されたつる性の常緑植物が、樹木間を通り抜けるビル風を低減する。
【００１３】
また、植物生育部に植えられたつる性の常緑植物を、上から、支柱、水平部材、鉛直部材などに這わせて生育できるので、地面付近の植栽配置の自由度を高めることができる。また、水平部材の高さ位置を調整することで、つる性の常緑植物の植栽範囲を自在に調整できる。
また、鉛直方向に延びる鉛直部材に複数の水平部材が挿通されるリング部を設けたので、鉛直部材を水平方向に自在に移動できる。よって、水平部材の高さおよび鉛直部材の水平位置を調整することで、建物の樹木間からの眺望を確保したり、樹木間に設けたつる性の常緑植物の植栽範囲を自在に調整したりできる。
【００１４】
第３の発明の防風植栽構造では、前記防風装置は、前記一対の支柱の上端部同士の間に架設された散水配管（例えば、後述の散水配管１２）をさらに備え、前記植物生育部は、当該散水配管に吊り下げ支持されており、前記散水配管には、散水孔（例えば、後述の散水孔４０）が設けられ、前記散水配管内を流通する水分が当該散水孔を通して前記植物生育部に噴射されることを特徴とする。
【００１５】
この発明によれば、支柱の上端部同士の間に散水配管を架設して、この散水配管から植物生育部を吊り吊り下げ支持しつつ、散水配管に設けた散水孔を通して、散水配管内の水分を植物生育部に噴射した。よって、散水配管を別途設置することなく、植物生育部内の常緑植物に散水でき、低コストで常緑植物を生育できる。また、散水配管に注水口（後述の給水配管２０Ａ）を接続することで、この注水口付近から、植物生育部で生育される常緑植物に容易に水や養分が提供できる。
【発明の効果】
【００１６】
本発明によれば、樹木の本数が少なくても、これら樹木同士の間にビル風が抜けるのを低減できる、ビル風対策用の防風植栽構造を実現できる。
【図面の簡単な説明】
【００１７】
【図１】本発明の一実施形態に係る防風植栽構造の側面図である。
【図２】前記防風植栽構造の防風装置の側面図である。
【図３】前記防風装置の平面図である。
【図４】図２のＡ−Ａ断面図である。
【図５】図２のＢ−Ｂ断面図である。
【発明を実施するための形態】
【００１８】
本発明は、支柱同士の間につる性の常緑植物が植えられた植物生育部を設け、そのつる性の常緑植物を、支柱、散水装置、水平部材、鉛直部材などに這わせて生育することで、樹木間を通り抜けるビル風を低減する防風植栽構造である。
【００１９】
以下、本発明の一実施形態について、図面を参照しながら説明する。
図１は、本発明の一実施形態に係る防風植栽構造１の側面図である。
防風植栽構造１は、建物２の周囲に生じるビル風を低減するものであり、建物２に沿って所定間隔おきに配置された複数の樹木としての高木３と、高木３同士の間に設けられたツツジなどの低木４および防風装置１０と、を備える。
【００２０】
図２は、防風装置１０の側面図である。図３は、防風装置１０の平面図である。図４は、図２のＡ−Ａ断面図である。
防風装置１０は、高木３を囲んで地面５に立設された一対の支柱１１（図１参照）と、この一対の支柱１１の上端部同士の間に架設された散水配管１２と、散水配管１２に吊り下げ支持された植物生育部１３と、植物生育部１３の下方で支柱同１１士の間に架設された複数の水平部材１４と、鉛直方向に延びる鉛直部材１５と、を備える。
【００２１】
支柱１１は、高木３の周囲に立設された４本の支柱本体２０と、これら４本の支柱本体２０を連結する複数の円環状の連結部２１と、を備える。
４本の支柱本体２０のうちの一つは、散水配管１２に連結された給水配管２０Ａとなっている。
【００２２】
図５は、図２のＢ−Ｂ断面図である。
植物生育部１３は、上面が開放された箱状で内部に土３２が収容された生育部本体３０と、生育部本体３０を散水配管１２から吊り下げ支持する吊り下げ部材３１と、を備える。
生育部本体３０の土３２には、つる性の常緑植物としての蔦３３が生育されている（図１参照）。この蔦３３は、生育部本体３０から下方に向かって延びて、さらに水平部材１４や鉛直部材１５の上を這っている。
また、生育部本体３０の底面には、土３２中の水分を排水するための水抜き孔３４が形成されている。
【００２３】
散水配管１２には散水孔４０が設けられており、これにより、散水配管１２内を流通する水が、散水孔４０を通して生育部本体３０の土３２や蔦３３に噴射される。
【００２４】
水平部材１４は、ワイヤをターンバックルで締め付けて張力を導入したものである。よって、ターンバックルを緩めることで張力を解除し、水平部材１４を支柱１１に沿って上下に移動可能となっている。
【００２５】
鉛直部材１５には、水平部材１４が挿通されるリング部５０と、リング部５０同士を連結する連結部５１と、を備える。よって、鉛直部材１５は、水平部材１４に沿って水平移動可能となっている。
【００２６】
本実施形態によれば、以下のような効果がある。
（１）支柱１１の上端部同士の間に植物生育部１３を設け、この植物生育部１３で蔦３３をビル風抵抗体として生育することで、高木３の本数が少なくても、高木３同士の間にビル風が抜けるのを低減できる。
【００２７】
（２）一対の支柱１１同士の間に設けた植物生育部１３にて蔦３３を生育し、さらに、その蔦３３を、支柱１１、散水配管１２、骨格材である水平部材１４、骨格材である鉛直部材１５などに這わせる。これにより、これら骨格材に這わせて安定的に生育された蔦３３が高木３間を通り抜けるビル風を低減する。
また、植物生育部１３で生育した蔦３３を、上から、支柱１１、散水配管１２、水平部材１４、鉛直部材１５に這わせたので、地面付近の低木４の植栽配置の自由度が高くなる。また、水平部材１４の高さ位置を調整することで、蔦３３の植栽範囲を自在に調整できる。
【００２８】
また、鉛直部材１５に複数の水平部材１４が挿通されるリング部５０を設けたので、鉛直部材１５を水平方向に自在に移動できる。よって、水平部材１４の高さおよび鉛直部材１５の水平位置を調整することで、建物２の高木３間からの眺望を確保したり、高木３間に設けた蔦３３の植栽範囲を自在に調整したりできる。
【００２９】
（３）散水配管１２に設けた散水孔４０を通して、散水配管１２内の水を植物生育部１３に噴射したので、散水配管を別途設置することなく、植物生育部１３内の蔦３３に散水でき、低コストで蔦３３を生育できる。
【００３０】
なお、本発明は前記実施形態に限定されるものではなく、本発明の目的を達成できる範囲での変形、改良等は本発明に含まれるものである。
例えば、本実施形態では、水平部材１４と鉛直部材１５とを別部材とし、かつ、それぞれを移動可能としたが、これに限らず、予め、水平部材と鉛直部材とを互いに接合して格子状の部材としてもよい。
【符号の説明】
【００３１】
１…防風植栽構造  ２…建物  ３…高木（樹木）  ４…低木  ５…地面
１０…防風装置  １１…支柱  １２…散水配管  １３…植物生育部
１４…水平部材  １５…鉛直部材
２０…支柱本体  ２０Ａ…給水配管  ２１…連結部
３０…生育部本体  ３１…吊り下げ部材  ３２…土  ３３…蔦（つる性の常緑植物）
３４…水抜き孔  ４０…散水孔
５０…リング部  ５１…連結部
【図１】
2018126070.tif 000003
【図２】
2018126070.tif 000004
【図３】
2018126070.tif 000005
【図４】
2018126070.tif 000006
【図５】
2018126070.tif 000007